(57)【要約】本発明は、屋内通信システムにおいてアップリンク伝送の間に無線信号を結合するための結合デバイスであって、屋内通信システムが、イーサネット・スイッチを備え、イーサネット・スイッチが、基地局ならびに少なくとも１つの第１および第２無線遠隔ヘッドエンドに接続されている結合デバイスを提供する。無線遠隔ヘッドエンド（ＲＲＨ）は、基地局の無線カバレージを拡大するように適合され、イーサネット・スイッチから少なくとも１つのパケット・フローを受信するための手段であって、パケット・フローが、少なくとも第１および第２ＲＲＨからのパケットを備え、パケットが、パケット・データ、ＲＲＨ識別、およびパケットのタイム・スタンプを備える手段と、パケットを、ＲＲＨ発生源によって、ＲＲＨ識別を使用して少なくとも第１および第２ＲＲＨパケットに分離するための手段と、第１および第２ＲＲＨパケットの間の同一のタイム・スタンプを有するパケットを一致させるための手段とを備える。結合デバイスは、一致したパケットのパケット・データを数学的加算で合計するための手段、およびパケット・データの合計をイーサネット・スイッチに伝送するための手段も備える。
2011504677.tif 000002
【特許請求の範囲】
【請求項１】
屋内通信システムにおいてアップリンク伝送の間に無線信号を結合する結合デバイス（１０６）であって、前記屋内通信システムがイーサネット（登録商標、以下同）スイッチ（１０３）を含み、前記イーサネット・スイッチ（１０３）が基地局（１０１）ならびに少なくとも第１および第２無線遠隔ヘッドエンド（ＲＲＨ）に接続され、前記ＲＲＨ（１０４、１０５）が、前記基地局（１０１）の無線カバレージを拡大するように適合されており、前記結合デバイス（１０６）は、
前記イーサネット・スイッチ（１０３）から少なくとも１つのパケット・フロー（１１１）を受信する手段を含み、前記パケット・フロー（１１１）が少なくとも前記第１および第２ＲＲＨからのパケット（１０７）を含み、前記パケットが、パケット・データ（１０８）、ＲＲＨ識別（１０９）、および前記パケットのタイム・スタンプ（１１０）を含み、さらに、
前記パケットを、前記ＲＲＨ発生源によって、前記ＲＲＨ識別（１０９）を使用して少なくとも第１および第２ＲＲＨパケットに分離する手段と、
前記第１および第２ＲＲＨパケットの間の同一のタイム・スタンプを有する前記パケットを一致させる手段と、
前記一致したパケットの前記パケット・データ（１０８）を数学的加算で合計する手段と、
前記パケット・データの前記合計を前記イーサネット・スイッチ（１０３）に伝送する手段とを含む結合デバイス。
【請求項２】
前記パケット・データ（１０８）、ＲＲＨ識別（１０９）、および前記パケットのタイム・スタンプ（１１０）を読み取るために、前記受信したパケットをアンパックする手段と、
前記パケット・データの前記合計をイーサネット・パケットにパックする手段とをさらに含む、請求項１に記載の結合デバイス。
【請求項３】
アップリンク伝送の間に無線信号を結合する屋内通信システムであって、基地局（１０１）と、前記基地局（１０１）の無線カバレージを拡大するための第１および第２無線遠隔ヘッドエンド（ＲＲＨ）と、ならびに請求項１による第１結合デバイス（１０６）とに結合された少なくとも１つの第１イーサネット・スイッチ（１０３）を備える、屋内通信システム。
【請求項４】
請求項１による第２結合デバイス（２０５）が前記イーサネット・スイッチ（１０３）の第２ポートに結合され、前記第２結合デバイス（２０５）が、少なくとも１つの第３および第４ＲＲＨ（２０３、２０４）のパケットを備える第２パケット・フローを受信する手段をさらに含み、前記第３および第４ＲＲＨ（２０３、２０４）が前記イーサネット・スイッチ（１０３）に接続される、請求項３に記載の屋内通信システム。
【請求項５】
第２イーサネット・スイッチ（３０６）がカスケード接続を形成する前記第１イーサネット・スイッチ（１０３）に接続され、前記第２イーサネット・スイッチ（３０６）が少なくとも第３および第４ＲＲＨならびに第２結合デバイス（３０７）に接続され、前記第２結合デバイス（３０７）が、請求項１によるものであり、少なくとも前記第３および第４ＲＲＨ（３０３、３０４）のパケットと、前記第１結合デバイスの前記パケット・データの前記合計とを含む第２パケット・フローを受信する手段をさらに備える、請求項３に記載の屋内通信システム。
【請求項６】
屋内通信システムにおいてアップリンク伝送の間に無線信号を結合する方法であって、前記屋内通信システムが、基地局（１０１）と、少なくとも１つの第１結合デバイス（１０６）と、ならびに前記基地局の無線カバレージを拡大するように適合されている少なくとも第１および第２無線遠隔ヘッドエンド（ＲＲＨ）とに接続された少なくとも１つの第１イーサネット・スイッチ（１０３）を含み、前記方法が、
前記第１イーサネット・スイッチ（１０３）からパケット・フロー（１１１）を前記第１結合デバイス（１０６）によって受信するステップを含み、前記パケット・フロー（１１１）が少なくとも前記第１および第２ＲＲＨ（１０４、１０５）からのパケット（１０７）を含み、前記パケットが、パケット・データ（１０８）、ＲＲＨ識別（１０９）、および前記パケットのタイム・スタンプ（１１０）を備え、さらに、
前記ＲＲＨ発生源によって、前記パケットを、前記ＲＲＨ識別（１０９）を使用して前記結合デバイスによって少なくとも第１ＲＲＨパケットと第２ＲＲＨパケットとに分離するステップと、
前記第１結合デバイス（１０６）によって、前記第１および第２ＲＲＨパケットの間の同一のタイム・スタンプを有する前記パケットを一致させるステップと、
前記第１結合デバイス（１０６）によって、前記一致したパケットの前記パケット・データ（１０８）を数学的加算で合計するステップと、
前記第１結合デバイス（１０６）によって、前記パケット・データの前記合計を前記第１イーサネット・スイッチ（１０３）に伝送するステップとを含む方法。
【請求項７】
前記パケット・データ（１０８）、ＲＲＨ識別（１０９）、および前記パケットのタイム・スタンプ（１１０）を前記第１結合デバイス（１０６）によって読み取るために、前記受信したパケットをアンパックするステップと、
前記結合デバイス（１０６）によって、前記パケット・データの前記合計をイーサネット・パケットにパックするステップとをさらに含む、請求項６に記載の方法。
【請求項８】
請求項１による第２結合デバイス（２０５）が前記イーサネット・スイッチ（１０３）の第２ポートに結合され、前記第２結合デバイス（２０５）が、少なくとも第３および第４ＲＲＨ（２０３、２０４）のパケットを含む第２パケット・フローを受信するように適合され、前記第３および第４ＲＲＨが前記イーサネット・スイッチ（１０３）に接続される、請求項６に記載の方法。
【請求項９】
第２イーサネット・スイッチ（３０６）が前記第１イーサネット・スイッチ（１０３）に接続され、前記第２イーサネット・スイッチ（３０６）が少なくとも第３および第４ＲＲＨ（３０３、３０４）ならびに第２結合デバイス（３０７）にさらに接続され、前記第２結合デバイスが、請求項１によるものであり、少なくとも第３および第４ＲＲＨ（３０３、３０４）のパケットと、前記第１結合デバイスの前記パケット・データの前記合計とを備える第２パケット・フローを受信するように適合されている、請求項６に記載の方法。
【請求項１０】
請求項６乃至８のいずれか１項に記載の方法ステップのうちのいずれかを実行するためのコンピュータ実行可能命令を備えるコンピュータ・プログラム製品。
【発明の詳細な説明】
【技術分野】
【０００１】
本発明は、無線屋内通信システムに関し、より詳細には、屋内通信システムのためのデジタル結合デバイス、および屋内通信システムにおける方法に関するが、それらには限定されない。
【背景技術】
【０００２】
ＧＳＭ、ＵＭＴＳ、ＣＤＭＡ、またはＷｉＭａｘなどの無線ネットワーク・サービスのための室内または屋内カバレージを提供するためには、特別な配備が必要である。アンテナ・システムが取り付けられている基地局が限定領域またはセルをカバーする典型的な屋外配備と比較すると、屋内システムは１つまたは複数の分離した遠隔アンテナ・システムまたは無線遠隔ヘッドエンド（ＲＲＨ）を有する１つまたは複数の基地局で構成される。基地局は、建物の内部または屋内位置に設置され、遠隔アンテナ・システムは建物の内部の異なる位置に取り付けられる。基地局に接続されると、基地局インタフェース（ＢＳＩ）はダウンリンクの間に、デジタル化された無線周波数データを基地局内部のフォーマットからイーサネット（登録商標、以下同）標準に準拠したフォーマットに変換する。次いで、そのデータはイーサネット・ネットワークを通じて遠隔アンテナ・システムまたは無線遠隔ヘッドエンド（ＲＲＨ）に転送される。アップリンク伝送の間に同様の逆プロセスがＢＳＩによって繰り返される。
【０００３】
ギガビット・イーサネット・ネットワークは、他の技術と比較して費用対効果が大きくデータ・レートが高いため、遠隔アンテナ・システムを有する基地局インタフェースと通信するための最も適切な伝送ネットワークのうちの１つである。無線搬送波の数、および無線技術の容量に応じて、アップリンク方向におけるイーサネット・スイッチと基地局インタフェースとの間のイーサネット・リンク上のデータ・レートがイーサネット・リンクの容量を超えてしまうことがある。
【発明の概要】
【発明が解決しようとする課題】
【０００４】
したがって、遠隔アンテナと基地局との間の無線データの伝送を改善するための屋内無線通信システム、その屋内通信システムにおけるデジタル結合デバイス、および本発明による諸ステップを実行するように適合された方法が必要である。
【課題を解決するための手段】
【０００５】
本発明は、屋内通信システムにおいてアップリンク伝送の間に無線信号を結合するための結合デバイスであって、屋内通信システムが、イーサネット・スイッチを備え、イーサネット・スイッチが、基地局ならびに少なくとも１つの第１および第２無線遠隔ヘッドエンドに接続されている結合デバイスを提供する。無線遠隔ヘッドエンド（ＲＲＨ）は、基地局の無線カバレージを拡大するように適合され、イーサネット・スイッチから少なくとも１つのパケット・フローを受信するための手段であって、パケット・フローが、少なくとも第１および第２ＲＲＨからのパケットを備え、パケットが、パケット・データ、ＲＲＨ識別、およびパケットのタイム・スタンプを備える手段と、パケットを、ＲＲＨ発生源によって、ＲＲＨ識別を使用して少なくとも第１および第２ＲＲＨパケットに分離するための手段と、第１および第２ＲＲＨパケットの間の同一のタイム・スタンプを有するパケットを一致させるための手段とを備える。結合デバイスは、一致したパケットのパケット・データを数学的加算で合計するための手段、およびパケット・データの合計をイーサネット・スイッチに伝送するための手段も備える。
【０００６】
結合デバイスによって、イーサネット・スイッチと基地局インタフェースとの間のギガビット・イーサネット・リンクの輻輳を避けながら、基地局インタフェースに送信される前に、無線遠隔ヘッドエンドから来るアップリンク・データを組み合わせることが可能になる。基地局インタフェースは、基地局または基地局内のモジュールに接続された独立エンティティでよい。基地局インタフェースに送信される前にアップリンク・データ・フローを同期および合計することによって、その合計のデータ・レートは、別々に送信される際のデータ・レートの合計と比較して減少される。これにより、イーサネット・スイッチと基地局または基地局インタフェースとの間のリンク容量が超えられないことが保証される。結合デバイスの他の利点は、結合デバイスは、合計機能を含むイーサネット・スイッチを適合させることを必要とせず、イーサネット・スイッチのポートに取り付けられた独立の結合デバイスだけを必要とする点である。デジタル結合デバイスは、無線遠隔ヘッドエンドのデジタル・コンポーネントを使用して設計されてよいので、完全に新しい装置を設計する必要はない。
【０００７】
本発明の一実施形態によれば、結合デバイスは、パケット・データ、パケット・フロー識別、およびパケットのタイム・スタンプを読み取るために、受信したパケットをアンパックするための手段と、パケット・データの合計をイーサネット・パケットにパックするための手段とをさらに備える。
【０００８】
他の態様では、本発明は、アップリンク伝送の間に無線信号を結合するための屋内通信システムであって、基地局に、基地局の無線カバレージを拡大するように適合されている第１および第２無線遠隔ヘッドエンドに、ならびに本発明による第１結合デバイスに結合された少なくとも１つの第１イーサネット・スイッチを備える屋内通信システムに関する。
【０００９】
本発明の一実施形態によれば、屋内通信システムにおいて、第２結合デバイスが、イーサネット・スイッチの第２ポートに結合され、第２結合デバイスが、少なくとも１つの第３および第４ＲＲＨのパケットを備える第２パケット・フローを受信するための手段であって、第３および第４ＲＲＨがイーサネット・スイッチに接続される手段をさらに備える。この実施形態の諸利点のうちの１つは、データ・フローの合計を完了するための独立の装置またはデバイスを有することによって、屋内通信システムへの柔軟な実装および接続が可能になることである。２つ以上の結合デバイスをイーサネット・スイッチに接続すること、異なる無線遠隔ヘッドエンドから来る２つ以上のデータ・フローを受信すること、および合計機能を２つ以上の結合デバイス間で分割することによって、屋内通信システムにおける変化への容易な適応が実現される。より多くの無線遠隔ヘッドエンドを建物または屋内位置にさらに接続させることは、ネットワーク・インフラストラクチャにおけるさらなる変更を必要としない。
【００１０】
本発明の一実施形態によれば、屋内通信システムにおいて、第２イーサネット・スイッチは、カスケード接続を形成する第１イーサネット・スイッチに接続され、第２イーサネット・スイッチは、少なくとも１つの第３および第４ＲＲＨならびに第２結合デバイスに接続され、第２結合デバイスが、本発明によるものであり、少なくとも１つの第３および第４ＲＲＨのパケットと、第１結合デバイスのパケット・データの合計とを備える第２パケット・フローを受信するための手段をさらに備える。
【００１１】
イーサネット・スイッチおよび結合デバイスのカスケード接続により、システムを位置または建物のトポロジおよびインフラストラクチャに適合させること、ならびに無線遠隔ヘッドエンドの第１グループの合計のために第１結合デバイスを使用することが可能になる。イーサネット・スイッチおよび結合デバイスのカスケード接続により、それに接続されたさらなるリモート・ヘッドエンドを同様に有する第２イーサネット・スイッチに組合せの結果を送信することがさらに可能になるので、第２結合デバイスは３つのデータ・フローの合計に進むことになる。あるいは、第１イーサネット・スイッチに接続された第１結合デバイスは、合計機能の結果を基地局および基地局インタフェースに直接送信してよく、第２結合デバイスは第２アップリンク・データ・フローを基地局インタフェースおよび基地局に送信することになる。
【００１２】
他の態様では、本発明は、アップリンク伝送の間に屋内通信システムにおける無線信号を結合する方法であって、屋内通信システムが、基地局に、少なくとも１つの第１結合デバイスに、ならびに少なくとも第１および第２無線遠隔ヘッドエンドに接続された少なくとも１つの第１イーサネット・スイッチを備え、無線遠隔ヘッドエンドが、基地局の無線カバレージを拡大するように適合されている方法に関する。この方法は、第１イーサネット・スイッチからパケット・フローを第１結合デバイスによって受信するステップであって、パケット・フローが、少なくとも１つの第１および第２ＲＲＨからのパケットを備え、パケットが、パケット・データ、ＲＲＨ識別、およびパケットのタイム・スタンプを備えるステップと、パケットを、ＲＲＨ発生源によって、ＲＲＨ識別を使用して結合デバイスによって少なくとも第１ＲＲＨパケットと第２ＲＲＨパケットとに分離するステップとを備える。この方法は、第１結合デバイスによって、第１および第２ＲＲＨパケットの間の、同一または実質的に同一のタイム・スタンプを有するパケットを一致させるステップと、第１結合デバイスによって、一致したパケットのパケット・データを数学的加算で合計するステップと、第１結合デバイスによって、パケット・データの合計を第１イーサネット・スイッチに伝送するステップとをさらに備える。
【００１３】
本発明の一実施形態によれば、この方法は、パケット・データ、ＲＲＨ識別、およびパケットのタイム・スタンプを結合デバイスによって読み取るために、受信したパケットをアンパックするステップと、結合デバイスによってパケット・データの合計をイーサネット・パケットにパックするステップとをさらに備える。
【００１４】
本発明の一実施形態によれば、本発明による第２結合デバイスが、イーサネット・スイッチの第２ポートに結合され、第２結合デバイスが、少なくとも１つの第３および第４ＲＲＨのパケットを備える第２パケット・フローを受信するように適合され、第３および第４ＲＲＨが、イーサネット・スイッチに接続される。
【００１５】
さらなる実施形態では、第２イーサネット・スイッチが、第１イーサネット・スイッチに接続され、第２イーサネット・スイッチが、少なくとも１つの第３および第４ＲＲＨならびに第２結合デバイスにさらに接続され、第２結合デバイスが、本発明によるものであり、少なくとも第３および第４ＲＲＨのパケットと、第１結合デバイスのパケット・データの合計とを備える第２パケット・フローを受信するように適合されている。
【００１６】
他の態様では、本発明は、本発明による方法ステップのうちのいずれかを実行するためのコンピュータ実行可能命令を備えるコンピュータ・プログラム製品に関する。この実施形態の諸利点のうちの１つは、既存のインフラストラクチャをギガビット・イーサネット・スイッチとして使用して、屋内通信システムの異なる装置間の通信の輻輳を避けることを可能にすることである。結合デバイスの実装に必要なのは、無線遠隔ヘッドエンドのデジタル・コンポーネント、および本発明による方法ステップを実行するための新しいデバイス内のコンピュータ・プログラム製品だけである。
【００１７】
以下では、本発明の好ましい実施形態が、以下の図面だけを参照する例として、より詳細に説明される。
【図面の簡単な説明】
【００１８】
【図１】本発明の第１の好ましい実施形態による屋内通信システムのブロック図である。
【図２】本発明の第２の好ましい実施形態を示すブロック図である。
【図３】本発明の屋内通信システムのさらなる好ましい実施形態のブロック図である。
【発明を実施するための形態】
【００１９】
図１は、基地局インタフェース１０２に接続された基地局１０１を含む、屋内通信システム１００のブロック図を示しており、基地局インタフェース１０２は第１無線遠隔ヘッドエンド１０４、第２無線遠隔ヘッドエンド１０５、および結合デバイス１０６に結合されたイーサネット・スイッチ１０３に接続されている。無線遠隔ヘッドエンドは、建物またはインフラストラクチャの内部の異なる位置に分布される。基地局インタフェースは、基地局または基地局内のモジュールに接続された独立エンティティでよい。無線遠隔ヘッドエンドは、アップリンク伝送の間に、建物の内部に位置する１つまたは複数のモバイル端末から無線データを受信する。無線遠隔ヘッドエンドはそのデータをデジタル化して、パケットのタイム・スタンプ、無線遠隔ヘッドエンドの識別１０７、およびパケット・データ１０８を含むイーサネット・パケットにパックする。イーサネット・パケット１０７は、無線遠隔ヘッドエンドから生じている複数のパケットとともにイーサネット・スイッチに送信される。イーサネット・スイッチ１０３が少なくとも第１および第２無線遠隔ヘッドエンドから来る複数のパケットを受信すると、結合デバイス１０６が位置されているポートにそのパケットを転送する。
【００２０】
次いで、結合デバイスが、イーサネット・スイッチ１０３からパケット・フロー１１１を受信し、パケット・フロー１１１は第１無線遠隔ヘッドエンド１０４および第２無線遠隔ヘッドエンド１０５から来るパケットを含む。結合デバイスは、複数のパケットからパケット・データ１０８、ＲＲＨ識別１０９、タイム・スタンプ１１０を読み取るために、受信したパケットをアンパックする。この情報で、結合デバイス１０６は、パケットを、無線遠隔ヘッドエンド（ＲＲＨ）発生源によって少なくとも第１および第２ＲＲＨに、またはイーサネット・スイッチに接続されている無線遠隔ヘッドエンドの量に従って、分離できるようになる。
【００２１】
さらに、結合デバイス１０６は、発生源によってパケットを分離するためにＲＲＨ識別１０９を使用し、その後、同一のタイム・スタンプを有するパケット間の一致を見つけるために、第１および第２ＲＲＨパケットの間のタイム・スタンプ１１０を比較する。結合デバイス１０６は同一のタイム・スタンプ１１０を有するこれらの一致したパケットをグループ化または同期させて、数学的加算を使用してパケット・データ１０８を合計する。データ１０８の合計の結果は、イーサネット・パケットにパックされてイーサネット・スイッチ１０３に返送され、イーサネット・スイッチ１０３はそのデータを基地局インタフェース１０２および基地局１０１が位置されているポートに転送する。
【００２２】
結合デバイスは、複数の無線遠隔ヘッドエンドから来るパケット・フローを、基地局インタフェースに伝送される前に合計することによって、イーサネット・スイッチと基地局インタフェースまたは基地局１０１との間のアップリンク方向におけるトラフィックが減少されるという利点を有する。この合計は、イーサネット・スイッチ１０３のポートを通じて容易に接続される結合デバイスを使用して実現され、イーサネット・スイッチによって伝送されるべきデータ・レートの総量を減少させる。結合デバイスは、通信システムの無線搬送波の数、およびイーサネット・スイッチに接続された無線遠隔ヘッドエンドの数に応じて、無線技術の容量がイーサネット・リンクの容量および基地局に伝送されるべき無線データの可能な量を超えることがあるというさらなる利点を有する。必要な合計機能は屋内通信システムに接続された外部デバイスによって実現されるので、結合デバイスはイーサネット・スイッチまたは無線遠隔ヘッドエンド内のさらなる修正を必要としない。
【００２３】
図２は、基地局インタフェース１０２に接続された基地局１０１を含む屋内通信システム２００のブロック図を示しており、基地局インタフェース１０２はイーサネット・スイッチ１０３にも結合されている。イーサネット・スイッチ１０３は４つの無線遠隔ヘッドエンド２０１〜２０４、ならびに第１結合デバイス１０６および２０５に接続されている。図２は、屋内通信システムの可能なさらなる実施形態を表しており、この実施形態では、イーサネット・スイッチ１０３に接続された４つの無線遠隔ヘッドエンドのパケット・フローが、少なくとも２つの結合デバイス１０６、２０５へ共に配信され、それによって、複数の無線遠隔ヘッドエンドによって無線データが受信されてデジタル変換された後、パケット・フローはイーサネット・スイッチに送信され、それらのパケット・フローのうちの２つが第１結合デバイスに達し、無線遠隔ヘッドエンド２０３および２０４からの残りの２つのパケット・フローが第２結合デバイス２０５に転送される。
【００２４】
結合デバイス１０６、２０６は、イーサネット・スイッチからパケット・フローを受信するステップと、そのパケットを無線遠隔ヘッドエンド発生源によって分離するステップと、異なるＲＲＨパケット間の同一のタイム・スタンプを有するパケットを一致させるステップと、数学的加算を通じて同一のタイム・スタンプを有するパケット・データを合計するステップとを含む、同じ諸ステップに並列に従う。次いで、結合デバイスから来るパケット・データの両方の合計は、基地局１０１および基地局インタフェース１０２が接続されているポートに転送され、それによって基地局は、両方のアップリンク無線データをさらに圧縮する。
【００２５】
結合デバイスの他の利点は、異なるインフラストラクチャおよびいくつかの無線遠隔ヘッドエンドに適合できる点であり、改善された屋内通信システムの他の利点は、イーサネット・スイッチと基地局インタフェースとの間のアップリンク無線データを減少させるためには単に１つまたは複数の結合デバイスを接続するだけでよいという点である。
【００２６】
図３は、基地局１０１、基地局インタフェース１０２、ならびに基地局インタフェース１０２、４つの無線遠隔ヘッドエンド３０１〜３０４、および第１結合デバイス３０５に接続されたイーサネット・スイッチ１０３を含む屋内通信システム３００のブロック図を示している。イーサネット・スイッチ１０３は、第２イーサネット・スイッチ３０６にさらに接続されており、第２イーサネット・スイッチ３０６は２つの無線遠隔ヘッドエンド３０３、３０４、および第２結合デバイス３０７に接続されている。アップリンク伝送の間に、複数の無線遠隔ヘッドエンドが、建物の内部に位置するモバイル端末から来る無線データを受信し、このデータをデジタル化または変換してイーサネット・スイッチに送信する。無線遠隔ヘッドエンド３０１および３０２は、パケットの２つのフローを第１イーサネット・スイッチ１０３に送信し、無線遠隔ヘッドエンド３０３、３０４はパケットのさらなるフローを第２イーサネット・スイッチ３０６に送信する。イーサネット・スイッチ１０３および３０６は、無線遠隔ヘッドエンドから来るパケットのこれらのフローを、イーサネット・スイッチのポートのうちの１つに取り付けられた結合デバイスに転送する。
【００２７】
次いで、結合デバイス３０５、３０７がパケット・フローを受信して、そのパケットを無線遠隔ヘッドエンド発生源によって、ＲＲＨ識別を使用して少なくとも２つのＲＲＨタイプのパケットに分離する。さらに、ＲＲＨパケットのグループ間のタイム・スタンプを比較して、同一のタイム・スタンプを有するパケットを一致させる。一致したパケットのパケット・データは数学的加算で合計され、この合計の結果がイーサネット・パケットにパックされて、結合デバイスに接続されたイーサネット・スイッチに返送される。第２イーサネット・スイッチ３０６は、結合デバイスから第１イーサネット・スイッチが位置されているポートにパケット・フローを転送し、第１イーサネット・スイッチ１０３は、イーサネット・スイッチから来るこのパケット・フローおよび結合デバイスから来るパケット・フローを、基地局１０１によるさらなる処理のために、基地局インタフェース１０２が位置されているポートに転送する。
【００２８】
あるいは、イーサネット・スイッチのこのカスケード接続では、第１結合デバイス３０５は第１無線遠隔ヘッドエンド３０１および第２無線遠隔ヘッドエンド３０２から来るパケット・フローの合計を実現してよく、合計の結果がイーサネット・スイッチ１０３に返送されると、その結果が第２イーサネット・スイッチ３０６に送信されて、第２イーサネット・スイッチ３０６がこの受信したパケット・フローをイーサネット・スイッチから結合デバイス３０７に転送することになる。結合デバイス３０７は、第２イーサネット・スイッチ３０６に接続された第３無線遠隔ヘッドエンド３０３および第４無線遠隔ヘッドエンド３０４から来るパケット・フローも受信して、上述のように同一のタイム・スタンプを有するパケットのパケット・データを合計する。第２結合デバイス３０５は両方の無線遠隔ヘッドエンドからのパケット、および第１結合デバイス３０５からの合計の結果を合計することになる。次いで、この合計の結果はイーサネット・スイッチ３０６によって第１イーサネット・スイッチ１０３に返送され、第１イーサネット・スイッチ１０３がその結果を単一のアップリンク・パケット・フローで基地局インタフェース１０２に送信する。屋内通信システムのこの方法およびこのトポロジは、無線遠隔ヘッドエンドの量が大きすぎて、搬送波の量がイーサネット・スイッチの容量を超える場合に有利である。
【符号の説明】
【００２９】
１０１  基地局
１０２  基地局インタフェース
１０３  イーサネット・スイッチ
１０４  第１ＲＲＨ
１０５  第２ＲＲＨ
１０５  パケット
１０６  結合デバイス
１０７  パケット
１０８  パケット・データ
１０９  ＲＲＨ識別
１１０  タイム・スタンプ
１１１  パケット・フロー
２０１  ＲＲＨ
２０２  ＲＲＨ
２０３  ＲＲＨ
２０４  ＲＲＨ
２０５  第２結合デバイス
３０１  ＲＲＨ
３０２  ＲＲＨ
３０３  ＲＲＨ
３０４  ＲＲＨ
３０５  第１結合デバイス
３０６  第２イーサネット・スイッチ
３０７  第２結合デバイス
【図１】
2011504677.tif 000003
【図２】
2011504677.tif 000004
【図３】
2011504677.tif 000005
【国際調査報告】
2011504677.tif 000006
2011504677.tif 000007
2011504677.tif 000008